(57)【要約】【課題】計測器が計測した計測値と当該計測器の設置位置とを対応付けて予め記録しておく必要なく、当該計測値と当該設置位置とを一緒に管理することができる計測管理システムを提供することを課題とする。【解決手段】本発明にかかる計測管理システム１００は、可視光を発して照明を行うと共に可視光通信で計測器１０４の設置位置に関する設置位置情報を発信する照明装置１０２と、気温や湿度などを計測し、計測した計測値に関する計測情報と受信した設置位置情報とを対応付けて受信機１０６へ送信する計測器１０４と、計測器１０４から送信された計測情報と設置位置情報とを受信する受信機１０６と、受信機１０６とネットワーク１０８を介して通信可能に接続され、受信機１０６で受信した計測情報と設置位置情報とを管理する管理装置１１０と、で構成される。【選択図】        図１
2006228034.tif 000002
【特許請求の範囲】
【請求項１】
気温や湿度などを計測し、計測した計測値に関する計測情報を送信する計測器と、前記計測器から送信された計測情報を受信し、受信した計測情報を管理する管理装置と、を備えた計測管理システムにおいて、
可視光で照明を行うと共に可視光通信で前記計測器の設置位置に関する設置位置情報を発信する照明装置、
をさらに備え、
前記計測器は、前記照明装置から可視光通信で発信された設置位置情報を受信し、計測した計測情報と受信した設置位置情報とを対応付けて前記管理装置へ送信すること、
を特徴とする計測管理システム。
【請求項２】
前記計測器は無線通信可能な可搬型のものであること、
を特徴とする請求項１に記載の計測管理システム。
【発明の詳細な説明】
【技術分野】
【０００１】
本発明は、気温や湿度などを計測する計測器（具体的にはセンサ）で計測した計測値に関する計測情報と当該計測器の設置位置に関する設置位置情報とを対応付けて管理する計測管理システムに関するものである。
【背景技術】
【０００２】
これまで、建物内の空調設備を制御する際に計測器（例えば温熱センサ）を利用する場合、当該計測器を壁や天井以外に設置することは困難であった。そのため、例えば部屋の中央付近の温度や湿度などを正確に把握することができなかった。
【０００３】
ここで、空調設備を制御する際に計測器を利用した従来技術として、特許文献１や特許文献２、特許文献３を簡単に説明する。まず、特許文献１には、居住室区分の変更に対応して空調空間領域の変更が容易な空調制御装置などに関する技術が記載されている。また、特許文献２には、空調空間全体の空調効率を向上させつつ、各空調エリアをそれぞれ目標温度に制御することが可能な空調制御方法に関する技術が記載されている。また、特許文献３には、全体制御モード時の被空調空間に吹き出す空気の吹出温度を各空間の必要温調量に応じて調節し、目標温度に到達するまでの時間を短くできる多空間空調制御システムに関する技術が記載されている。
また、計測器を利用した従来技術として、特許文献４や、特許文献５、特許文献６を簡単に説明する。まず、特許文献４には、複数の車両などの移動体が展開されている場合に、リアルタイムに車両の位置情報と周辺の環境情報を取得表示可能となる移動無線通信回線基地局の運用手法に関する技術が記載されている。また、特許文献５には、移動系電気通信体を用いて簡便で移動度の高い監視システムに関する技術が記載されている。また、特許文献６には、集合建築物において異常が発生した場合にその異常の内容をきめ細かく把握し、対策を迅速かつ正確に行うことができる管理システムなどに関する技術が記載されている。
【０００４】
ところが、最近では、無線通信が可能で小型の計測器が開発されている。これにより、配線を設置することができない場所や部屋の中央付近などに当該計測器を設置することが可能になった。具体的には、部屋に設置したパーティション（移動可能な間仕切り）の上に当該計測器を設置することが可能になった。これにより、部屋の中央付近などの人が多く居る場所の温度や湿度などを正確に把握することが可能になった。
【０００５】
【特許文献１】特開平０７−３１８１４４号公報
【特許文献２】特開２０００−１７１０７１号公報
【特許文献３】特開平０５−０４４９７７号公報
【特許文献４】特開２００４−３４１７２２号公報
【特許文献５】特開２００１−２５７６３８号公報
【特許文献６】特開２００３−１０９１５２号公報
【発明の開示】
【発明が解決しようとする課題】
【０００６】
しかしながら、計測器が計測した計測値と共に当該計測器の設置位置を把握する場合には、計測器の設置位置と当該計測器のＩＤとを対応付けて予め記録しておく必要があった、という問題点があった。
【０００７】
本発明は上記問題点に鑑みてなされたものであり、計測器が計測した計測値と当該計測器の設置位置とを対応付けて予め記録しておく必要なく、当該計測値と当該設置位置とを一緒に管理することができる計測管理システムを提供することを目的とする。
【課題を解決するための手段】
【０００８】
上記目的を達成するために、本発明にかかる請求項１に記載の計測管理システムは、気温や湿度などを計測し、計測した計測値に関する計測情報を送信する計測器と、前記計測器から送信された計測情報を受信し、受信した計測情報を管理する管理装置と、を備えた計測管理システムにおいて、可視光で照明を行うと共に可視光通信で前記計測器の設置位置に関する設置位置情報を発信する照明装置をさらに備え、前記計測器は、前記照明装置から可視光通信で発信された設置位置情報を受信し、計測した計測情報と受信した設置位置情報とを対応付けて前記管理装置へ送信すること、を特徴とする。
【０００９】
また、本発明にかかる請求項２に記載の計測管理システムは、本発明にかかる請求項１に記載の計測管理システムにおいて、前記計測器は無線通信可能な可搬型のものであること、を特徴とする。
【発明の効果】
【００１０】
本発明にかかる計測管理システムによれば、照明装置で、可視光で照明を行うと共に可視光通信で計測器の設置位置に関する設置位置情報を発信し、計測器で、照明装置から可視光通信で発信された設置位置情報を受信し、計測した計測情報と受信した設置位置情報とを対応付けて管理装置へ送信し、管理装置で、受信した計測情報と設置位置情報とを管理する。これにより、計測器が計測した計測値と当該計測器の設置位置とを対応付けて予め記録しておく必要なく、当該計測値と当該設置位置とを一緒に管理することができるという効果を奏する。
【００１１】
本発明にかかる計測管理システムによれば、計測器は無線通信可能な可搬型のものであるので、あらゆる場所（例えば、配線を設置することができない場所や部屋の中央付近など）に当該計測器を設置することができるという効果を奏する。
【発明を実施するための最良の形態】
【００１２】
以下に、本発明にかかる計測管理システムの実施例を図面に基づいて詳細に説明する。なお、この実施例によりこの発明が限定されるものではない。
【実施例】
【００１３】
まず、本実施例の計測管理システム１００の構成について、図１などを参照して説明する。図１は、本実施例の計測管理システム１００の構成の一例を示す図である。
【００１４】
計測管理システム１００は、図１に示すように、照明装置１０２と、計測器１０４と、受信機１０６と、受信装置１０６とネットワーク１０８を介して有線または無線で通信可能に接続される管理装置１１０と、で構成される。
【００１５】
照明装置１０２は、可視光で照明を行うと共に可視光通信で前記計測器の設置位置に関する設置位置情報を発信する。具体的には、図２に示すように、照明装置１０２は、可視光を発して照明を行う発光部１０２ａと、計測器１０４の設置位置に関する設置位置情報を記憶する記憶部１０２ｂと、記憶部１０２ｂで記憶した設置位置情報を発光部１０２ａを変調して可視光通信で発信する変調部１０２ｃと、を備える。
【００１６】
再び図１に戻り、計測器１０４は、気温や温度などを計測し、照明装置１０２から可視光通信で発信された設置位置情報を受信し、計測した計測値に関する計測情報と受信した設置位置情報とを対応付けて管理装置１１０へ送信する。具体的には、計測器１０４は、図３に示すように、照明装置１０２から可視光通信で発信された設置位置情報を受信する受信部１０４ａと、気温や湿度、一酸化炭素濃度、二酸化炭素濃度、浮遊粉塵量、風速、輻射温度、照度、振動の大きさ、音の大きさなどを計測したり人が存在するか否かを検知したりする計測部１０４ｂと、計測部１０４ｂで計測した計測値に関する計測情報と受信部１０４ａで受信した設置位置情報とを対応付けて受信機１０６または管理装置１１０へ送信する送信部１０４ｃと、を備える。計測器１０４は、無線通信可能な可搬型のものであり、具体的には小型無線センサである。なお、計測器１０４は、太陽電池を搭載し、当該太陽電池の電力で駆動するものでもよい。これにより、計測器１０４の電池を不要とすることができる。
【００１７】
再び図１に戻り、受信機１０６は、計測器１０４から送信された計測情報および設置位置情報を受信する。
【００１８】
ネットワーク１０８は、管理装置１１０と受信機１０６とを相互に通信可能に接続する機能を有し、例えばインターネットやＬＡＮ等である。
【００１９】
管理装置１１０は、計測器１０４から送信された計測情報と設置位置情報とを受信し、受信した計測情報と設置位置情報とを管理する。具体的には、管理装置１１０は、受信機１０６とネットワーク１０８を介して通信可能に接続され、受信機１０６で受信した情報を管理する。管理装置１１０は、図４に示すように、管理装置１１０の全体を統括的に制御するＣＰＵ等の制御部１１０ａと、ルータ等の通信装置および専用線等の有線または無線の通信回線を介して管理装置１１０をネットワーク１０８に通信可能に接続する通信インターフェース部１１０ｂと、各種のデータベースやテーブルやファイルなどを格納する記憶部１１０ｃと、入力装置１１２や出力装置１１４に接続する入出力インターフェース部１１０ｄと、で構成されており、これら各部は任意の通信路を介して通信可能に接続されている。
【００２０】
制御部１１０ａは、ＯＳ（Ｏｐｅｒａｔｉｎｇ  Ｓｙｓｔｅｍ）等の制御プログラム、各種の処理手順等を規定したプログラムおよび所要データを格納するための内部メモリを有し、これらのプログラムに基づいて種々の処理を実行するための情報処理を行う。また、制御部１１０ａは、取得部１１０ａ１を備えている。取得部１１０ａ１は、計測器１０４から送信された計測情報と設置位置情報とを、通信インターフェース部１１０ｂを介して受信して取得する。具体的には、取得部１１０ａ１は、受信機１０６で受信した計測情報と設置位置情報とを取得する。
【００２１】
通信インターフェース部１１０ｂは、管理装置１１０とネットワーク１０８（またはルータ等の通信装置）との間における通信を媒介する。すなわち、通信インターフェース部１１０ｂは、他の端末と通信回線を介してデータを通信する機能を有する。
【００２２】
記憶部１１０ｃは、ストレージ手段であり、例えば、ＲＡＭ、ＲＯＭ等のメモリ装置や、ハードディスクのような固定ディスク装置や、フレキシブルディスクや、光ディスク等を用いることができる。記憶部１１０ｃは、計測情報と設置位置情報とを対応付けて記憶する。
【００２３】
入出力インターフェース部１１０ｄは、入力装置１１２や出力装置１１４に接続する。ここで、出力装置１１４には、モニタ（家庭用テレビを含む）の他、スピーカやプリンタを用いることができる。また、入力装置１１２には、キーボードやマウスやマイクの他、マウスと協働してポインティングデバイス機能を実現するモニタを用いることができる。
【００２４】
ここで、図５に示すように、計測管理システム１００は、照明装置１０２を制御する照明制御装置１１２をさらに含んで構成され、照明制御装置１１２を介して照明装置１０２をネットワーク１０８に接続する構成でもよい。これにより、例えば計測器１０４の回収の時に計測器１０４の設置位置がわからなくなってしまった場合には、管理装置１１０が、計測器１０４から送信される設置位置情報を取得し、取得した設置位置情報に該当する照明装置１０２を特定し、特定した照明装置１０２を点滅させるなど、何らかのサインを視認させるための指示情報を作成し、作成した指示情報をネットワーク１０８および照明制御装置１１２を介して照明装置１０２に対して送信することにより、照明装置１０２を制御することができるので、計測器１０４の設置位置を知らせることができる。また、例えば電池切れなどで計測器１０４に対し電力の供給が途切れることに因り計測器１０４が情報を送信することができなくなってしまった場合や、例えば計測器１０４が何らかの異常に関する情報を送信している場合には、管理装置１１０が、情報を送信していない計測器１０４や異常に関する情報を送信している計測器１０４を感知し、感知した計測器１０４へ設置位置情報を発信する照明装置１０２を特定し、特定した照明装置１０２をサインにより視認させるための指示情報を作成し、作成した指示情報をネットワーク１０８および照明制御装置１１２を介して照明装置１０２に対して送信することにより、照明装置１０２を制御することができるので、異常の発生やその発生場所を知らせることができる。
【００２５】
以上の構成において、計測管理システム１００で、計測情報と設置位置情報とを対応付けて管理する過程を説明する。
（１）まず、照明装置１０２は、変調部１０２ｂで、記憶部１０２ｂに予め記憶した設置位置情報を、発光部１０２ａを変調して可視光通信で発信する。
（２−１）ついで、計測器１０４は、受信部１０４ａで、照明装置１０２から発信された設置位置情報を受信する。
（２−２）一方で、計測器１０４は、計測部１０４ｂで、気温や湿度などを計測する。
（２−３）そして、計測器１０４は、送信部１０４ｃで、計測部１０４ｂで計測した計測値に関する計測情報と受信部１０４ａで受信した設置位置情報とを対応付けて受信機１０６へ送信する。
（３）ついで、受信機１０６は、計測器１０４から送信された計測情報と設置位置情報とを受信する。
（４）ついで、管理装置１１０は、取得部１１０ａ１で、受信機１０６で受信した計測情報と設置位置情報とを、ネットワーク１０８に接続された通信インターフェース部１１０ｂを介して取得し、取得した計測情報と設置位置情報とを記憶部１１０ｃの所定の記憶領域に格納する。
【００２６】
以上説明したように、計測管理システム１００によれば、照明装置１０２で、可視光で照明を行うと共に可視光通信で計測器１０４の設置位置に関する設置位置情報を発信し、計測器１０４で、照明装置１０２から可視光通信で発信された設置位置情報を受信し、計測した計測情報と受信した設置位置情報とを対応付けて管理装置１１０へ送信し、管理装置１１０で、受信した計測情報と設置位置情報とを管理する。これにより、計測器１０４が計測した計測値と当該計測器１０４の設置位置とを対応付けて予め記録しておく必要なく、当該計測値と当該設置位置とを一緒に管理することができる。また、本システムによれば、特定された場所で可視光通信を行うので、定位置または狭い範囲での計測を容易に行うことができる。これまで、計測器（特に可搬型（小型）無線センサ）を利用する場合は、各計測器の設置位置を把握するために、各計測器にＩＤを付与したり、設置位置を記録したりすることが必要であった。しかし、本システムを用いれば、それらの作業は不要となる。また、本システムによれば、部屋のレイアウト変更などで計測器１０４を移設した場合でも、計測器１０４の移設先での設置位置が自動検出されるので、ソフトやシステム上の変更が不要である。
【００２７】
また、計測管理システム１００において、計測器１０４は無線通信可能な可搬型のもの（具体的には小型無線センサ）であるので、あらゆる場所（例えば、配線を設置することができない場所や部屋の中央付近など）に計測器１０４を設置することができる。換言すると、従来は壁や天井以外には設置することが困難であった計測器（各種センサ）を、建物空間内に自由に配置することができる。よって、本システムを用いれば、部屋の中央付近の温度や湿度を計測したり、部屋の中央付近での人の存在を検知したりすることができるので、よりきめ細やかな環境コントロール、設備の異常運転の検知、防犯監視などが可能となる。
【産業上の利用可能性】
【００２８】
以上のように、本発明にかかる計測管理システムは、計測器で計測した計測値と当該計測器の設置位置とを対応付けて管理する際に好適に実施することができ、建設業などにおいて極めて有用である。
【図面の簡単な説明】
【００２９】
【図１】計測管理システム１００の構成の一例を示す図である。
【図２】照明装置１０２の構成の一例を示す図である。
【図３】計測機１０４の構成の一例を示す図である。
【図４】管理装置１１０の構成の一例を示す図である。
【図５】計測管理システム１００の構成の他の一例を示す図である。
【符号の説明】
【００３０】
１００  計測管理システム
１０２  照明装置
１０２ａ  発光部
１０２ｂ  記憶部
１０２ｃ  変調部
１０４  計測器
１０４ａ  受信部
１０４ｂ  計測部
１０４ｃ  送信部
１０６  受信機
１０８  ネットワーク
１１０  管理装置
１１０ａ  制御部
１１０ａ１  取得部
１１０ｂ  通信インターフェース部
１１０ｃ  記憶部
１１０ｄ  入出力インターフェース部
１１２  照明制御装置
【図１】
2006228034.tif 000003
【図２】
2006228034.tif 000004
【図３】
2006228034.tif 000005
【図４】
2006228034.tif 000006
【図５】
2006228034.tif 000007